(57)【要約】【課題】  撮像および投影の両方の機能を持たせた場合においても、コンパクト化を図りつつ、光量の損失を抑制する。【解決手段】  ＣＣＤ３にて撮像時を行わせる場合、全反射ミラー４にて反射された外部からの光がＣＣＤ３に入射するように、全反射ミラー４の傾きを設定し、液晶パネル７にて生成されたモニタ画像を投影用光学系５を介して投影させ、その投影画像を全反射ミラー４にて全反射させて、スクリーン８上に表示させるとともに、光源６から出射された光を外部に投影させる場合、全反射ミラー４の傾きを変えることにより、液晶パネル７を透過した光を全反射ミラー４にて全反射させ、撮像用光学系２を介して外部に出射させる。【選択図】      図１
2005229392.tif 000002
【特許請求の範囲】
【請求項１】
撮像を行う撮像部と、
画像の投影を行う投影部と、
前記投影部にて投影された画像を前記撮像時のモニタ画像として表示するモニタ画像表示部とを備えることを特徴とする撮像装置。
【請求項２】
撮像を行う撮像部と、
画像の投影を行う投影部と、
前記投影部にて投影された画像を映し出すスクリーンと、
前記投影部にて外部に投影される画像を前記スクリーン上に投影させる光路切り替え部とを備えることを特徴とする撮像装置。
【請求項３】
前記光路切り替え部は、前記投影部にて投影された画像が前記スクリーンに映し出される時に、前記撮像部に光が入射される光路を生成することを特徴とする請求項２記載の撮像装置。
【請求項４】
前記投影部にて投影された画像が前記スクリーン上に映し出される時に、前記投影部は、前記撮像部で撮像された撮像画像に対応する投影画像を生成することを特徴とする請求項２または３記載の撮像装置。
【請求項５】
前記撮像部は、
撮像画像を生成する撮像素子と、
前記撮像素子上に画像を結像させる撮像用光学系とを備え、
前記投影部は、
投影画像を生成する投影画像生成部と、
前記投影画像生成部にて生成された投影画像を投影させる投影用光学系とを備え、
前記光路切り替え部は、
外部からの入射光および前記投影画像生成部から出射された投影光を反射させる全反射ミラーと、
前記全反射ミラーの傾きを制御することにより、前記投影画像を前記スクリーンまたは外部に投影させる傾き制御部とを備えることを特徴とする請求項２〜４のいずれか１項記載の撮像装置。
【請求項６】
前記全反射ミラーは両面ミラーから構成され、
前記傾き制御部は、
前記撮像部による撮像時に、前記撮像用光学系を透過した光が前記全反射ミラーを介して前記撮像素子に入射する第１の光路と、前記投影画像生成部にて生成された光が前記投影用光学系および前記全反射ミラーを介して前記スクリーンに入射する第２の光路とを形成し、
前記投影部による投影時に、前記投影画像生成部にて生成された光が前記投影用光学系、前記全反射ミラーおよび前記撮像用光学系を介して外部に出射される第３の光路を形成することを特徴とする請求項５記載の撮像装置。
【請求項７】
前記全反射ミラーの傾きを制御することにより、撮像時または投影時の手振れ補正を行う手振れ補正部をさらに備えることを特徴とする請求項５または６記載の撮像装置。
【請求項８】
前記投影用光学系は、前記全反射ミラーを介して結合された撮像用光学系の収差の補正を行うことを特徴とする請求項５〜７のいずれか１項記載の撮像装置。
【請求項９】
撮像画像を生成する撮像素子と、
前記撮像素子上に画像を結像させる撮像用光学系と、
前記撮像素子に対して対向配置された光源と、
前記光源の前段に配置された透過型液晶パネルと、
前記透過型液晶パネルの前段に配置された投影用光学系と、
前記投影用光学系にて投影された画像を映し出すスクリーンと、
前記撮像用光学系に入射した光を前記撮像素子の方向に反射させながら、前記投影用光学系にて投影された投影光を前記スクリーンの方向に反射させる両面反射ミラーと、
前記全反射ミラーの傾きを変えることにより、前記投影用光学系にて投影された投影光を前記撮像用光学系を介して外部に投影させる傾き制御部とを備えることを特徴とする撮像装置。
【発明の詳細な説明】
【技術分野】
【０００１】
本発明は撮像装置に関し、特に、デジタルカメラにて撮像された画像をスクリーンに投影させる方法に適用して好適なものである。
【背景技術】
【０００２】
従来のデジタルカメラでは、特許文献１に開示されているように、デジタルカメラのメモリに記憶されている画像ファイルからサムネイル画像情報を生成し、そのサムネイル画像情報をデジタルカメラに接続されたプリンタにプリントアウトすることにより、デジタルカメラで撮像された画像情報を抽出して表示させる方法がある。
また、特許文献２には、携帯型カメラで撮像された画像を多人数でも見やすく表示できるようにするため、被写体を撮像する撮像部と画像を外部に投影する投影部とを別々の筐体に収め、撮像部にて撮像された画像を投影部を介してスクリーンに投影する方法が開示されている。また、特許文献２には、ボディーのコンパクト化を図るために、撮像部と投影部とを同じ筐体に収め、ハーフミラーを用いることで、撮像部および投影部の光学系を共用する方法が開示されている。
【特許文献１】特開２００１−１９７４０６号公報
【特許文献２】特開２００１−２４９２６号公報
【発明の開示】
【発明が解決しようとする課題】
【０００３】
しかしながら、特許文献１に開示された方法では、デジタルカメラで撮像された画像を複数の人間が鑑賞できるようにするためには、デジタルカメラで撮像された画像をプリントアウトする必要がある。このため、デジタルカメラとは別にプリンタを用意する必要があるとともに、プリントアウトに時間を要するため、デジタルカメラで撮像された画像が鑑賞できるようになるまでに時間がかかるという問題があった。
【０００４】
さらに、デジタルカメラで撮像された画像全部を一度に確認できるようにするためには、サムネイル画像をプリントアウトする必要がある。このため、Ａ４などの通常の大きさの用紙に多くのサムネイル画像がプリントアウトされると、１個当たりの画像が小さくなり、画像が見ずらくなるという問題があった。
また、デジタルカメラで撮像された画像をプリントアウトする方法以外にも、デジタルカメラをテレビに接続して、テレビに画像を表示させる方法もあるが、デジタルカメラとは別にテレビを用意する必要がある。また、デジタルカメラで撮像された画像を確認するために、デジタルカメラに付随して設けられた液晶モニタを用いる方法もあるが、液晶モニタの画面は小さいため、複数の人間が同時に鑑賞する方法には適さないという問題があった。
【０００５】
また、特許文献２に開示された方法では、撮像部および投影部の光学系を共用するためにハーフミラーが用いられている。このため、撮像を行う時に被写体からの光がハーフミラーを介して撮像部に入射されるため、光量が半分に減少し、高感度の撮像素子が必要になるという問題があった。また、撮像部に入射される光量が減少すると、暗い場所での撮像では、シャッター速度を遅くしなければならないため、手振れなどの影響で画質が劣化するという問題があった。
【０００６】
また、投影を行う時にも、光源からの光がハーフミラーを介して外部に出射されるため、光量が半分に減少し、投影画像が暗くなるという問題があった。一方、投影画像が暗くなることを防止するため、光源の輝度を上げると、消費電力の増大を招いたり、大規模な放熱機構が必要となるという問題があった。
また、撮像部および投影部の光学系を単に共用するだけでは、投影時にむらが発生したり、投影時の焦点距離を最適化することが困難になり、投影画像の画質が劣化するという問題があった。
【０００７】
そこで、本発明の目的は、撮像および投影の両方の機能を持たせた場合においても、光量の損失を抑制しつつ、コンパクト化を図ることが可能な撮像装置を提供することである。
【課題を解決するための手段】
【０００８】
上述した課題を解決するために、本発明の一態様に係る撮像装置によれば、撮像を行う撮像部と、画像の投影を行う投影部と、前記投影部にて投影された画像を前記撮像時のモニタ画像として表示するモニタ画像表示部とを備えることを特徴とする。
これにより、投影部にて投影された画像を見ながら撮像時のモニタを行なったり、外部に画像を投影させたりすることが可能となる。このため、撮像時のモニタを行うために、液晶モニタなどを搭載する必要がなくなるとともに、投影光を用いてモニタ画像を生成することが可能となる。この結果、モニタ画面を明るくすることを可能として、モニタ画面の視認性を向上させることが可能となるとともに、撮像装置のコンパクト化を図りつつ、複数の人間が画像を容易に鑑賞できるようにすることができる。
【０００９】
また、本発明の一態様に係る撮像装置によれば、撮像を行う撮像部と、画像の投影を行う投影部と、前記投影部にて投影された画像を映し出すスクリーンと、前記投影部にて外部に投影される画像を前記スクリーン上に投影させる光路切り替え部とを備えることを特徴とする。
これにより、外部に画像を投影させることが可能となるとともに、投影部にて投影された画像を撮像装置のスクリーン上に表示させることが可能となる。このため、投影部にて投影された画像を見ながら撮像時のモニタを行なったり、投影部にて投影された画像を外部に拡大して表示させることが可能となり、撮像時のモニタを行うために、液晶モニタなどを搭載する必要がなくなるとともに、投影光を用いてモニタ画像を生成することが可能となる。この結果、モニタ画面を明るくすることを可能として、モニタ画面の視認性を向上させることが可能となるとともに、撮像装置のコンパクト化を図りつつ、複数の人間が画像を容易に鑑賞できるようにすることができる。
【００１０】
また、本発明の一態様に係る撮像装置によれば、前記光路切り替え部は、前記投影部にて投影された画像が前記スクリーンに映し出される時に、前記撮像部に光が入射される光路を生成することを特徴とする。
これにより、光学系を複雑化することなく、撮像部にて撮像を行わせながら、投影部にて投影された画像をスクリーンに表示させることができ、投影部にて投影された画像を見ながら、撮像時のモニタを行うことが可能となる。
【００１１】
また、本発明の一態様に係る撮像装置によれば、前記投影部にて投影された画像が前記スクリーン上に映し出される時に、前記投影部は、前記撮像部で撮像された撮像画像に対応する投影画像を生成することを特徴とする。
これにより、撮像部にて撮像された画像をスクリーンに表示させることができ、液晶モニタなどを撮像装置に搭載することなく、撮像時のモニタを行うことが可能となる。
【００１２】
また、本発明の一態様に係る撮像装置によれば、前記撮像部は、撮像画像を生成する撮像素子と、前記撮像素子上に画像を結像させる撮像用光学系とを備え、前記投影部は、投影画像を生成する投影画像生成部と、前記投影画像生成部にて生成された投影画像を投影させる投影用光学系とを備え、前記光路切り替え部は、外部からの入射光および前記投影画像生成部から出射された投影光を反射させる全反射ミラーと、前記全反射ミラーの傾きを制御することにより、前記投影画像を前記スクリーンまたは外部に投影させる傾き制御部とを備えることを特徴とする。
【００１３】
これにより、全反射ミラーの傾きを制御することで、外部に画像を投影させたり、投影部にて投影された画像を撮像装置のスクリーン上に表示させることが可能となる。このため、光学系の複雑化することなく、投影部にて投影された画像を見ながら撮像時のモニタを行なったり、投影部にて投影された画像を外部に拡大して表示させたりすることが可能となり、モニタ画面を明るくすることを可能として、モニタ画面の視認性を向上させることが可能となるとともに、撮像装置のコンパクト化を図りつつ、複数の人間が画像を容易に鑑賞できるようにすることができる。
【００１４】
また、本発明の一態様に係る撮像装置によれば、前記全反射ミラーは両面ミラーから構成され、前記傾き制御部は、前記撮像部による撮像時に、前記撮像用光学系を透過した光が前記全反射ミラーを介して前記撮像素子に入射する第１の光路と、前記投影画像生成部にて生成された光が前記投影用光学系および前記全反射ミラーを介して前記スクリーンに入射する第２の光路とを形成し、前記投影部による投影時に、前記投影画像生成部にて生成された光が前記投影用光学系、前記全反射ミラーおよび前記撮像用光学系を介して外部に出射される第３の光路を形成することを特徴とする。
【００１５】
これにより、撮像素子に入射される光およびスクリーンに入射される光を同一の全反射ミラーを用いて全反射させながら、撮像部にて撮像を行わせることが可能となるとともに、投影画像生成部にて生成された画像を撮像装置のスクリーン上に表示させることが可能となる。また、全反射ミラーの傾きを制御することで、投影画像生成部にて生成された光を全反射させながら、投影画像生成部にて生成された画像を外部に投影させることが可能となる。
【００１６】
このため、撮像時のモニタを行うために、液晶モニタなどを搭載する必要がなくなるとともに、投影光を用いてモニタ画像を生成することが可能となる。また、全反射ミラーを用いることで、撮像素子に入射される光および投影時に外部に出射される光の損失を抑制しつつ、撮像時と投影時との間で光路を変更することが可能となる。この結果、モニタ画面を明るくすることを可能として、モニタ画面の視認性を向上させることが可能となるとともに、撮像素子の入射光量を増加させることを可能として、撮像画像の画質を向上させることができる。また、光源の輝度の上昇を抑制しつつ、明るい画像を外部に投影させることが可能となり、撮像装置のコンパクト化を図りつつ、複数の人間が画像を容易に鑑賞できるようにすることができる。
【００１７】
また、本発明の一態様に係る撮像装置によれば、前記全反射ミラーの傾きを制御することにより、撮像時または投影時の手振れ補正を行う手振れ補正部をさらに備えることを特徴とする。
これにより、撮像時と投影時との間で光路を変更するための反射ミラーを用いて手振れ補正を行うことが可能となり、光学部品の点数の増大を抑制しつつ、撮像時または投影時の画質を向上させることができる。
【００１８】
また、本発明の一態様に係る撮像装置によれば、前記投影用光学系は、前記全反射ミラーを介して結合された撮像用光学系の収差の補正を行うことを特徴とする。
これにより、投影画像生成部にて生成された光を撮像用光学系を介して外部に投影させることを可能としつつ、投影時の収差を補正することが可能となり、光学系の複雑化を抑制しつつ、外部への投影時の画質を向上させることができる。
【００１９】
また、本発明の一態様に係る撮像装置によれば、撮像画像を生成する撮像素子と、前記撮像素子上に画像を結像させる撮像用光学系と、前記撮像素子に対して対向配置された光源と、前記光源の前段に配置された透過型液晶パネルと、前記透過型液晶パネルの前段に配置された投影用光学系と、前記投影用光学系にて投影された画像を映し出すスクリーンと、前記撮像用光学系に入射した光を前記撮像素子の方向に反射させながら、前記投影用光学系にて投影された投影光を前記スクリーンの方向に反射させる両面反射ミラーと、前記全反射ミラーの傾きを変えることにより、前記投影用光学系にて投影された投影光を前記撮像用光学系を介して外部に投影させる傾き制御部とを備えることを特徴とする。
【００２０】
これにより、外部から撮像素子に入射する光および光源からスクリーンに入射する光を同一の全反射ミラーを用いて全反射させながら、撮像部にて撮像を行わせることが可能となるとともに、透過型液晶パネルを介して生成された画像を撮像装置のスクリーン上に表示させることが可能となる。また、全反射ミラーの傾きを制御することで、光源から出射された光を全反射させながら、透過型液晶パネルを介して生成された画像を外部に投影させることが可能となる。
【００２１】
このため、モニタ画面を明るくすることを可能として、モニタ画面の視認性を向上させることが可能となるとともに、撮像素子の入射光量を増加させることを可能として、撮像画像の画質を向上させることができる。また、光源の輝度の上昇を抑制しつつ、明るい画像を外部に投影させることが可能となり、撮像装置のコンパクト化を図りつつ、複数の人間が画像を容易に鑑賞できるようにすることができる。
【発明を実施するための最良の形態】
【００２２】
以下、本発明の実施形態に係る撮像装置について図面を参照しながら説明する。
図１（ａ）は、本発明の一実施形態に係る撮像装置の撮像時における概略構成を示す断面図、図１（ｂ）は、本発明の一実施形態に係る撮像装置の投影時における概略構成を示す断面図である。
図１において、筐体１内には、ＣＣＤ３および投影用光源６が互いに対向配置され、ＣＣＤ３と投影用光源６との間には、全反射ミラー４が配置されている。なお、全反射ミラー４としては、両面ミラーを用いることができる。また、ＣＣＤ３の代わりに、ＣＭＯＳセンサやＶＭＩＳ（Ｔｈｒｒｅｓｈｏｌｄ  Ｖｏｌｔａｇｅ  Ｍｏｄｕｌａｔｉｏｎ  Ｉｍａｇｅ  Ｓｅｎｓｏｒ）：しきい値変調型イメージセンサ）などのその他の撮像素子を用いるようにしてもよい。また、投影用光源６としては、例えば、白色発光ダイオード、クリプトン電球、白熱電球などを用いることができる。
【００２３】
そして、投影用光源６の前段には、投影用光学系５が配置され、投影用光源６と投影用光学系５との間には液晶パネル７が配置されている。なお、液晶パネル７および投影用光源６の代わりに、有機ＥＬ素子や無機ＥＬ素子などを用いるようにしてもよい。また、筐体１内には、全反射ミラー４を間にして、撮像用光学系２およびスクリーン８が互いに対向配置されている。
【００２４】
そして、ＣＣＤ３にて撮像時を行わせる場合、全反射ミラー４にて反射された外部からの光がＣＣＤ３に入射するように、全反射ミラー４の傾きを設定する。そして、撮像用光学系２を介して筐体１内に入射した光は、全反射ミラー４にて全反射され、ＣＣＤ３に入射される。そして、ＣＣＤ３に入射した光は光電変換され、被写体画像が生成される。
また、ＣＣＤ３にて撮像時を行わせる場合、ＣＣＤ３から出力された信号に基づいて液晶パネル７の駆動を行うことができる。そして、投影用光源６から出射された光は液晶パネル７に入射され、ＣＣＤ３による撮像画像に対応したモニタ画像が生成される。そして、液晶パネル７にて生成されたモニタ画像は投影用光学系５を介して投影され、その投影画像が全反射ミラー４にて全反射されて、スクリーン８上に表示される。
【００２５】
これにより、外部からＣＣＤ３に入射する光および投影用光源６からスクリーン８に入射する光を同一の全反射ミラー４を用いて全反射させながら、ＣＣＤ３にて撮像を行わせることが可能となるとともに、液晶パネル７を介して生成された画像をスクリーン８上に表示させることが可能となる。
このため、投影用光源６から出射された光を用いてスクリーン８上にモニタ画像を生成することが可能となり、ＣＣＤ３による撮像画像をモニタするための液晶モニタを不要とすることが可能となるとともに、ＣＣＤ３に入射される光およびスクリーン８上に入射される光の損失を抑制することが可能となる。この結果、スクリーン８上に生成されるモニタ画面を明るくすることを可能として、モニタ画面の視認性を向上させることが可能となるとともに、ＣＣＤ３の入射光量を増加させることを可能として、撮像画像の画質を向上させることができる。
【００２６】
一方、光源６から出射された光を外部に投影させる場合、全反射ミラー４にて反射された光源６からの光が投影用光学系５に入射するように、全反射ミラー４の傾きを設定する。そして、外部に投影される画像が液晶パネル７にて生成されるように液晶パネル７の駆動を行わせる。なお、液晶パネル７に生成される画像としては、ＣＣＤ３にて撮像された画像でもよいし、ＣＣＤ３にて撮像された画像とは別に外部から取り込まれた画像でもよい。そして、投影用光源６から出射された光は液晶パネル７に入射され、外部に投影される画像が生成される。そして、液晶パネル７にて生成された画像は、投影用光学系５を介して投影され、全反射ミラー４にて全反射される。そして、全反射ミラー４にて全反射された画像は、撮像用光学系２を介して外部に出射され、外部のスクリーン上に表示される。
【００２７】
これにより、全反射ミラー４の傾きを制御することで、投影用光源６から出射された光を全反射させながら、液晶パネル７を介して生成された画像を外部に投影させることが可能となる。このため、光学系の複雑化を伴うことなく、外部に出射される光の損失を抑制することが可能となるとともに、投影用光源６の輝度の上昇を抑制しつつ、明るい画像を外部に投影させることが可能となり、撮像装置のコンパクト化を図りつつ、複数の人間が画像を容易に鑑賞できるようにすることができる。
【００２８】
なお、全反射ミラー４としてダイクロイックミラーを用いるとともに、シャイロセンサなどの手振れセンサを搭載し、全反射ミラー４の傾きを制御することにより、撮像時または投影時の手振れ補正を行うようにしてもよい。これにより、撮像時と投影時との間で光路を変更するための全反射ミラー４を用いることで、手振れ補正を行うことが可能となり、光学部品の点数の増大を抑制しつつ、撮像時または投影時の画質を向上させることができる。
【００２９】
また、光源６から出射された光を撮像用光学系２を介して外部に投影させる場合、全反射ミラー４を介して結合された撮像用光学系２の色むらなどの各種収差が補正されるように、投影用光学系５を構成するようにしてもよい。これにより、光源６から出射された光を撮像用光学系７を介して外部に投影させることを可能としつつ、投影時の収差を補正することが可能となり、光学系の複雑化を抑制しつつ、外部への投影時の画質を向上させることができる。
【００３０】
また、図１の実施形態では、投影用光源６と全反射ミラー４との間に投影用光学系５を配置する方法について説明したが、必要に応じて、スクリーン８と全反射ミラー４との間に投影用光学系５を配置するようにしてもよい。また、投影用光源６と全反射ミラー４との間に投影用光学系５を配置したまま、収差などを補正したりするための光学系をスクリーン８と全反射ミラー４との間に配置するようにしてもよい。また、投影用光源６と液晶パネル７との間に光学レンズを配置するようにしてもよい。
【００３１】
また、投影用光学系５は筐体１から脱着可能とし、別の光学系と交換できるようにしてもよい。また、図１の実施形態では、投影用光学系５、投影用光源６および液晶パネル７を右側に配置するとともに、ＣＣＤ３を左側に配置する方法について説明したが、投影用光学系５、投影用光源６および液晶パネル７を左側に配置するとともに、ＣＣＤ３を右側に配置するようにしてもよい。
【００３２】
図２は、図１の撮像装置の内部構成を示すブロック図である。
図２において、図１の撮像用光学系２として、焦点レンズ２ａ、ズームレンズ２ｂおよび絞り２ｃが設けられるとともに、投影用光学系５として、焦点レンズ５ａおよびズームレンズ５ｂが設けられている。なお、ズームレンズ２ｂ、５ｂはカム環内に移動可能に設置することができる。また、絞り２ｃには、複数の羽根が設けられ、羽根の移動や回転などにより開口径を制御することができる。また、ＣＣＤ３、焦点レンズ５ａ、ズームレンズ５ｂおよび液晶パネル７は同一の光路上に配置するとともに、焦点レンズ２ａ、ズームレンズ２ｂ、絞り２ｃおよびスクリーン８は同一の光路上に配置することができ、焦点レンズ５ａ、ズームレンズ５ｂおよび液晶パネル７で形成される光路と、焦点レンズ２ａ、ズームレンズ２ｂ、絞り２ｃおよびスクリーン８で形成される光路とは互いに直交させることができる。
【００３３】
また、撮像装置には、ＣＣＤ３から出力された信号を処理するＣＣＤ信号処理回路１０、ＣＣＤ信号処理回路１０から出力された信号をデジタル化するＡ／Ｄコンバータ１１、デジタル画像データを記憶するメインメモリ１２、ＲＧＢマトリックス処理を行うＲＧＢマトリックス１３、焦点レンズ２ａ、５ａの焦点を調整する焦点距離調整回路１４、ズームレンズ２ｂ、５ｂを駆動するフォーカス駆動回路１５、全反射ミラー４の傾きを制御するミラー制御回路１６、ＣＣＤ３の駆動を行うＣＣＤ制御回路１７、メインメモリ１２の書き込みおよび読み出し制御を行うアドレス制御回路１８、投影用光源６を駆動する投影用光源駆動回路１９、絞り２ｃを駆動する絞り駆動回路２０、同期信号を発生させる同期信号発生回路２１、撮像装置の動作制御を行わせるためのコマンド情報などを記憶するＥＥＰＲＯＭ２２、画像圧縮を行う画像圧縮部２３、ＩＣメモリカード２５を制御するメモリカード制御回路２４、画像データを記憶するＩＣメモリカード２５、モード設定などの各種操作を行う操作部２６、操作情報などを表示する表示部２７、撮像装置内部で電力を発生させるバッテリ２８、撮像装置外部から電力を供給する外部電源２９、バッテリ２８または外部電源２９からの電力を撮像装置に供給する電源回路３０、外部装置３２を撮像装置に接続するためのインターフェース３１、撮像装置に接続される外部装置３２、撮像装置全体の制御を行う制御回路３３、メインメモリ１２に記憶されたデジタル画像データをアナログ化するＤ／Ａコンバータ４１、液晶パネル７を駆動する液晶パネルドライブ４２、被写体の輝度を測定する測光手段４３、被写体までの距離を測定する測距手段４４が設けられている。
【００３４】
なお、ＣＣＤ３は、多数の画素がマトリクス状に配置され、各画素のそれぞれが受光量に応じた電荷を蓄積し、この電荷が所定時に順次転送されるように構成することができる。また、カラー画像撮像用のＣＣＤ３には、例えば、補色フィルタを形成することができる。すなわち、ＣＣＤ３の各画素には、マゼンタ（Ｍｇ）、イエロー（Ｙｅ）、シアン（Ｃｙ）およびグリーン（Ｇ）に対応したカラーフィルタを設けることができる。そして、マゼンタ（Ｍｇ）、イエロー（Ｙｅ）、シアン（Ｃｙ）およびグリーン（Ｇ）がそれぞれ形成された４画素で１単位を構成し、この１単位により表示画面上の１画素を構成することができる。
【００３５】
また、制御回路３３は、例えば、マイクロコンピュータ（ＣＰＵ）などを用いて構成することができ、例えば、シーケンス制御、露出演算、自動露出制御、自動焦点合わせなどの他、撮像装置を動作させるための各種制御を行うことができる。また、制御回路３３には、書き換え可能なバッファＲＡＭ３４が内蔵されている。
また、ＩＣメモリカード２５にはＩＣメモリが組み込まれ、このＩＣメモリには、画像情報を記憶する領域と、カード属性情報を記憶する領域とが設けられている。なお、カード属性情報としては、例えば、ＩＣメモリの種類（スタティックラム、フラッシュメモリなど）、ＩＣメモリの記憶容量およびアクセス速度などを挙げることができる。
【００３６】
また、測距手段４４は、アクティブ方式またはパッシブ方式のいずれでもよく、撮像装置から被写体までの距離を測定するようにしてもよいし、ＣＣＤ３の受光面に対する焦点ずれ量（デフォーカス量）を測定するようにしてもよい。また、外部装置３２としては、例えば、パーソナルコンピュータやプリンタなどを挙げることができる。
また、フォーカス駆動回路１５には、焦点レンズ２ａ、５ａをそれぞれ駆動する合焦点駆動用モータ、焦点距離調整回路１４にはズームレンズ２ｂ、５ｂをそれぞれ駆動するズーム駆動用モータ、絞り駆動回路２０には、絞り２ｃを駆動する絞り駆動用モータが設けられている。
【００３７】
ここで、撮像装置の動作モードとして、「撮像モード」、「投影モード」および「モニタモード」を設けることができる。
そして、ＣＣＤ３にて撮像時を行わせる場合、ユーザは、操作部２６を介して「撮像モード」に設定する。そして、「撮像モード」に設定されると、その設定が制御回路３３に入力され、「撮像モード」に対応したコマンド情報などがＥＥＰＲＯＭ２２からＲＡＭ３４に読み出される。そして、制御回路３３は、ミラー制御回路１６を介して全反射ミラー４の傾きをＣＣＤ３に対して４５°に設定する。
【００３８】
また、「撮像モード」では、測距手段４４にて被写体までの距離が測定され、その測定結果が制御回路３３に入力される。そして、制御回路３３は、測距手段４４による測定結果に基づいてフォーカス駆動回路１５を制御し、フォーカス駆動回路１５にて合焦点駆動用モータを所定量だけ回転させる。そして、焦点レンズ２ａを所定の位置に移動させることにより、ピント合わせを行わせることができる。
【００３９】
また、測光手段４３にて、被写体の輝度が測定され、その測定結果が制御回路３３に入力される。そして、制御回路３３は、測光手段４３からの輝度情報が入力されると、その輝度情報に基づいて露出演算を行い、絞り２ｃの絞り値およびＣＣＤ３のシャッタ速度（電荷蓄積時間）を決定する。そして、制御回路３３は、絞り２ｃの絞り値に基づいて絞り駆動回路２０を制御し、絞り駆動用モータを所定量だけ回転させる。そして、絞り駆動回路２０にて絞り２ｃを調整させることにより、露出制御を行わせることができる。
【００４０】
また、ユーザは、操作部２６を介してズーミング動作を行うことができ、その信号は制御回路３３を介して焦点距離調整回路１４に出力される。そして、焦点距離調整回路１４にて、ズーム駆動用モータを所定量だけ回転させることにより、ズームレンズ２ｂを所定の位置に移動させ、ズーミング動作を行わせることができる。
そして、ズームレンズ２ｂ、焦点レンズ２ａおよび絞り２ｃを介して筐体１内に入射した光は、全反射ミラー４にて全反射され、ＣＣＤ３に入射される。そして、ＣＣＤ３に入射した光は光電変換され、光電変換された信号はＣＣＤ信号処理回路１０に出力される。ここで、同期信号発生回路２１には、制御回路３３から制御信号が入力される。そして、同期信号発生回路２１は、制御回路３３から入力される制御信号に基づいてクロック信号を生成し、このクロック信号に基づいて同期信号（水平同期信号および垂直同期信号など）を生成する。そして、同期信号発生回路２１にて生成された同期信号はＣＣＤ制御回路１７に入力される。そして、ＣＣＤ制御回路１７は、同期信号発生回路２１から入力された同期信号に基づいてＣＣＤ３を駆動し、ＣＣＤ３の各画素に蓄積された電荷を順次転送させることができる。
【００４１】
そして、ＣＣＤ３から出力された信号がＣＣＤ信号処理回路１０に入力されると、ＣＣＤ３にて撮像された被写体像のアナログ画像信号、すなわち、マゼンタ（Ｍｇ）、イエロー（Ｙｅ）、シアン（Ｃｙ）およびグリーン（Ｇ）に関するアナログ画像信号が生成される。
そして、ＣＣＤ信号処理回路１０にて生成されたアナログ画像信号はＡ／Ｄコンバータ１１に入力され、Ａ／Ｄコンバータ１１にてデジタル画像信号が生成される。すなわち、マゼンタ（Ｍｇ）、イエロー（Ｙｅ）、シアン（Ｃｙ）およびグリーン（Ｇ）に関するアナログ画像信号が、マゼンタ（Ｍｇ）、イエロー（Ｙｅ）およびシアン（Ｃｙ）関する補色デジタル画像信号およびグリーン（Ｇ）に関する原色デジタル画像信号に変換される。
【００４２】
そして、Ａ／Ｄコンバータ１１から出力されたデジタル画像信号は、メインメモリ１２の所定のアドレスに一旦記憶される。ここで、同期信号発生回路２１にて生成されたクロック信号および同期信号はアドレス制御回路１８に入力される。そして、アドレス制御回路１８は、同期信号発生回路２１から入力された同期信号に基づいて書き込み用アドレスカウンタを動作させることにより、メインメモリ１２の所定のアドレスにデジタル画像信号を書き込むことができる。また、アドレス制御回路１８は、同期信号発生回路２１から入力された同期信号に基づいて読み出し用アドレスカウンタを動作させることにより、メインメモリ１２の所定のアドレスからデジタル画像信号を読み出すことができる。
【００４３】
そして、メインメモリ１２から読み出されたデジタル画像信号は、Ｄ／Ａコンバータ４１およびＲＧＢマトリックス１３に出力される。そして、メインメモリ１２から読み出されたデジタル画像信号がＲＧＢマトリックス１３に出力されると、マゼンタ（Ｍｇ）、イエロー（Ｙｅ）およびシアン（Ｃｙ）関する補色デジタル画像信号およびグリーン（Ｇ）に関する原色デジタル画像信号に対して所定の演算処理が行われ、レッド（Ｒ）、グリーン（Ｇ）およびブルー（Ｂ）の原色デジタル画像信号が生成される。ここで、アドレス制御回路１８は、同期信号発生回路２１から入力された同期信号およびクロック信号に基づいて各種パルス信号を生成し、これらのパルス信号をＲＧＢマトリックス１３に出力することができる。
【００４４】
そして、ＲＧＢマトリックス１３から出力された原色デジタル画像信号はメモリカード制御回路２４に入力される。そして、原色デジタル画像信号がメモリカード制御回路２４に入力されると、メモリカード制御回路２４は、その原色デジタル画像信号を画像圧縮回路２３にて画像圧縮させることができる。そして、メモリカード制御回路２４は、画像圧縮回路２３にて画像圧縮された圧縮画像データをＩＣメモリカード２５に出力する。そして、ＩＣメモリカード２５は、メモリカード制御回路２４から圧縮画像データを受け取ると、その圧縮画像データをＩＣメモリに保存することができる。
【００４５】
一方、メインメモリ１２から読み出されたデジタル画像信号がＤ／Ａコンバータ４１に出力されると、Ｄ／Ａコンバータ４１にてデジタル画像信号がアナログ画像信号に変換される。そして、Ｄ／Ａコンバータ４１から出力されたアナログ画像信号は液晶パネルドライブ４２に入力され、液晶パネルドライブ４２を介して液晶パネル７の駆動が行われる。
そして、投影用光源６から出射された光は液晶パネル７に入射され、ＣＣＤ３による撮像画像に対応したモニタ画像が生成される。なお、ＣＣＤ３による撮像画像がスクリーン８上に綺麗に投影されるように、液晶パネルドライブ４２にて画像補正を行うようにしてもよい。
【００４６】
そして、制御回路３３は、投影用光源駆動回路１９にて投影用光源６を駆動させることにより、投影用光源６から光を出射させ、投影用光源６から出射された光を液晶パネル７に透過させる。そして、投影用光源６から出射された光が液晶パネル７を透過すると、撮像画像に対応したモニタ画像が生成される。そして、液晶パネル７にて生成されたモニタ画像は、焦点レンズ５ａおよびズームレンズ５ｂを介して投影され、その投影画像が全反射ミラー４にて全反射されて、スクリーン８上に表示される。
【００４７】
ここで、焦点距離調整回路１４およびフォーカス駆動回路１５は、ズーム駆動用モータおよび合焦点駆動用モータを駆動することにより、ズームレンズ５ｂおよび焦点レンズ５ａをそれぞれ移動させ、スクリーン８上に正しい画像を結像させることができる。
一方、光源６から出射された光を外部に投影させる場合、ユーザは、操作部２６を介して「投影モード」に設定する。そして、「投影モード」に設定されると、その設定が制御回路３３に入力され、「投影モード」に対応したコマンド情報などがＥＥＰＲＯＭ２２からＲＡＭ３４に読み出される。そして、制御回路３３は、ミラー制御回路１６を介して全反射ミラー４の傾きを液晶パネル７に対して４５°に設定する。
【００４８】
そして、制御回路３３は、ＩＣメモリカード２５に記憶されたデジタル画像信号を読み出し、そのデジタル画像信号をＲＧＢマトリックス１３を介してメインメモリ１２に記憶させる。そして、メインメモリ１２に記憶されたデジタル画像信号はＤ／Ａコンバータ４１に出力され、Ｄ／Ａコンバータ４１にてデジタル画像信号がアナログ画像信号に変換される。そして、Ｄ／Ａコンバータ４１から出力されたアナログ画像信号は液晶パネルドライブ４２に入力され、液晶パネルドライブ４２を介して液晶パネル７の駆動が行われる。
【００４９】
また、制御回路３３は投影用光源駆動回路１９に投影用光源６を駆動させることにより、投影用光源６から光を出射させ、投影用光源６から出射された光を液晶パネル７に透過させる。そして、投影用光源６から出射された光が液晶パネル７を透過すると、ＩＣメモリカード２５に記憶されたデジタル画像信号に対応した投影用画像が生成される。そして、液晶パネル７にて生成された投影用画像は、焦点レンズ５ａおよびズームレンズ５ｂを介して投影され、その投影画像が全反射ミラー４にて全反射される。そして、全反射ミラー４にて全反射された投影画像は、絞り２ｃ、焦点レンズ２ａおよびズームレンズ２ｂを介して筐体１外に出射され、外部のスクリーン上に拡大表示させることができる。
【００５０】
ここで、焦点距離調整回路１４およびフォーカス駆動回路１５は、ズーム駆動用モータおよび合焦点駆動用モータを駆動することにより、ズームレンズ２ｂ、５ｂおよび焦点レンズ２ａ、５ａをそれぞれ移動させ、外部のスクリーン上に正確な画像を結像させることができる。
さらに、ＩＣメモリカード２５に記憶された画像を単にモニタする場合、ユーザは、操作部２６を介して「モニタモード」に設定する。そして、「モニタモード」に設定されると、その設定が制御回路３３に入力され、「モニタモード」に対応したコマンド情報などがＥＥＰＲＯＭ２２からＲＡＭ３４に読み出される。そして、制御回路３３は、ミラー制御回路１６を介して全反射ミラー４の傾きをＣＣＤ３に対して４５°に設定する。
【００５１】
そして、制御回路３３は、ＩＣメモリカード２５に記憶されたデジタル画像信号を読み出し、そのデジタル画像信号をＲＧＢマトリックス１３を介してメインメモリ１２に記憶させる。そして、メインメモリ１２に記憶されたデジタル画像信号はＤ／Ａコンバータ４１に出力され、Ｄ／Ａコンバータ４１にてデジタル画像信号がアナログ画像信号に変換される。そして、Ｄ／Ａコンバータ４１から出力されたアナログ画像信号は液晶パネルドライブ４２に入力され、液晶パネルドライブ４２を介して液晶パネル７の駆動が行われる。
【００５２】
また、制御回路３３は投影用光源駆動回路１９に投影用光源６を駆動させることにより、投影用光源６から光を出射させ、投影用光源６から出射された光を液晶パネル７に透過させる。そして、投影用光源６から出射された光が液晶パネル７を透過すると、ＩＣメモリカード２５に記憶されたデジタル画像信号に対応した投影用画像が生成される。そして、液晶パネル７にて生成された投影用画像は、焦点レンズ５ａおよびズームレンズ５ｂを介して投影され、その投影画像が全反射ミラー４にて全反射されて、スクリーン８上に表示される。
【図面の簡単な説明】
【００５３】
【図１】本発明の一実施形態に係る撮像装置の概略構成を示す断面図。
【図２】図１の撮像装置の内部構成を示すブロック図。
【符号の説明】
【００５４】
１  筐体、２  撮像用光学系、２ａ、５ａ  焦点レンズ、２ｂ、５ｂ  ズームレンズ、２ｃ  絞り、３  ＣＣＤ、４  全反射ミラー、５  投影用光学系、６  投影用光源、７  液晶パネル、８  スクリーン、１０  ＣＣＤ信号処理回路、１１  Ａ／Ｄコンバータ、１２  メインメモリ、１３  ＲＧＢマトリックス、１４  焦点距離調整回路、１５  フォーカス駆動回路、１６  ミラー制御回路、１７  ＣＣＤ制御回路、１８  アドレス制御回路、１９  投影用光源駆動回路、２０  絞り駆動回路、２１  同期信号発生回路、２２  ＥＥＰＲＯＭ、２３  画像圧縮回路、２４  メモリカード制御回路、２５  ＩＣメモリカード、２６  操作部、２７  表示部、２８  バッテリ、２９  外部電源、３０  電源回路、３１  インターフェース、３２  外部装置、３３  制御回路、３４  ＲＡＭ、４１  Ｄ／Ａコンバータ、４２  液晶パネルドライブ、４３  測光手段、４４  測距手段
【図１】
2005229392.tif 000003
【図２】
2005229392.tif 000004